(57)【要約】【課題】  プレゼンテーションで１または複数の資料の画像を撮影し、撮影された画像の中から所望の画像を選択し容易に表示させることができる資料提示装置を提供する。【解決手段】  資料載置台４１の資料載置面４５には、点灯ライン部４６が十文字状に形成されている。この点灯ライン４６の点灯は、点灯ボタン部４７により選択され、これにより資料載置面４５に載置される原稿Ｓ１，Ｓ２の位置決めが指定される。撮像部４４で原稿Ｓ１，Ｓ２の画像を撮影した後、表示選択部４８の表示ボタンを選択する。これにより、制御部は、撮影された原稿Ｓ１，Ｓ２の画像を上記位置決め形式に従って分割し、その一部または全部を上記表示ボタンによる表示形式に従って切り出す。この切り出された画像が必要に応じて倍率変更部４９により拡大または縮小され、その画像が所望の大きさでスクリーンに投影される。【選択図】        図２
2005064985.tif 000002
【特許請求の範囲】
【請求項１】
資料載置面を有するとともに、この資料載置面の上に１または複数の資料が載置される資料載置手段と、
前記資料の画像を撮影する撮像手段と、
前記撮像手段によって撮影された前記資料の画像データを記憶する記憶手段と、
前記撮像手段によって撮影された前記資料の画像を表示する表示手段への信号出力部と、
前記記憶手段から前記画像データを読み出し、該画像データを分割してその一部または全部を選択的に前記表示手段に表示させる制御手段とを備えたことを特徴とする資料提示装置。
【請求項２】
前記資料載置面に、前記１または複数の資料の位置決めをするための枠部を備えたことを特徴とする請求項１に記載の資料提示装置。
【請求項３】
前記枠部は、前記複数の資料の配置を指定する配置指定手段を備え、前記制御手段は、前記配置指定手段でなされた指定に基づき前記画像データを分割することを特徴とする請求項２に記載の資料提示装置。
【請求項４】
前記枠部は資料載置面の分割境界を示す縦および／または横の線状に形成された光射出部であり、この光射出部の縦および／または横の配列を発光させることにより前記複数の資料の配置を指定することを特徴とする請求項２または３に記載の資料提示装置。
【請求項５】
前記制御手段は、前記分割された画像データの一部または全部を選択する表示選択手段を備え、該表示選択手段でなされた選択に基づき前記分割された画像データの一部または全部を表示させることを特徴とする請求項１〜４のいずれかに記載の資料提示装置。
【発明の詳細な説明】
【技術分野】
【０００１】
本発明は、資料載置台に載置された原稿などの資料を撮像手段で撮影し、その撮影された資料の画像をスクリーンなどの表示手段に表示する資料提示装置に係り、特に複数の画像を選択的に表示したり、同時に表示したりすることが可能な資料提示装置に関する。
【背景技術】
【０００２】
スクリーンに資料の画像を投映し、その画像を参照しながら聴衆に対して資料の内容の説明を行うプレゼンテーションでは、資料の画像をスクリーンに投映するための手段として、近年、ＯＨＰ（オーバーヘッドプロジェクタ）に代わるものとして、資料提示装置が用いられている。
【０００３】
資料提示装置は、たとえば特許文献１に開示されているように、原稿などの資料を載置するための資料載置台と、この資料載置台に載置された資料の画像を撮影するＣＣＤ（Charge Coupled Device）カメラなどの撮像手段を備えている。このような資料提示装置では、資料載置台に載置された原稿が撮像手段で撮影され、その撮影された画像が、資料載置台に接続された液晶プロジェクタでスクリーンに投影される。
【０００４】
【特許文献１】特許第３２０１７０７号公報（第６項、図１）
【発明の開示】
【発明が解決しようとする課題】
【０００５】
しかしながら、このような資料提示装置を用いて複数の資料の画像を比較して見せる場合、これら資料を度々交換する必要があり、面倒であった。また、その資料交換の際、そのプレゼンテーションと関係のない画像が表示されてしまうことが多く、さらに、資料交換のためにプレゼンテーションが中断することが多く、聴衆者に不快感を与えることもあった。
【０００６】
資料載置台に複数の資料を並べて配置し、その個々の資料や全ての資料を撮像手段で選択的に撮影することも考えられる。しかしながら、その場合には撮像手段の向きや光学倍率の設定といった余分な作業が必要となる。
【０００７】
また、撮影した資料の画像を一時的に記憶装置に取り込み、次の資料をセットするまでの間表示させることも考えられるが、この場合でも、次の資料をセットするときにプレゼンテーションが一時中断してしまい、また、前の資料と比較する際、その資料を再びセットしなければならない。
【０００８】
そこで、資料提示装置に記憶装置（たとえば、パソコン）を接続し、この記憶装置に撮影した複数の画像を記憶させておき、必要な画像を順次読み出して表示させることが行われている。しかしながら、この場合、事前に複数の画像を撮影し、パソコンを用いてこれら撮影された画像を編集し、記憶させなければならないため、事前の準備に多くの手間がかかっていた。また、その編集の際、所定のアプリケーションを使いこなすためのスキルが必要とされている。さらに、表示した画像上でペンなどを用いて、ポインティングを行うことができないという問題もあった。
【０００９】
したがって、本発明は、多くの手間をかけることなく、複数の画像を容易に表示することができ、その表示された複数の画像に、ペンなどを用いてポインティングを行うことができる資料提示装置を提供することを目的としている。
【課題を解決するための手段】
【００１０】
本発明の資料提示装置は、資料載置面を有するとともに、この資料載置面の上に１または複数の資料が載置される資料載置手段と、資料の画像を撮影する撮像手段と、撮像手段によって撮影された資料の画像データを記憶する記憶手段と、撮像手段によって撮影された資料の画像を表示する表示手段への信号出力部と、記憶手段から画像データを読み出し、該画像データを分割してその一部または全部を選択的に表示手段に表示させる制御手段とを備えたことを特徴としている。
【００１１】
本発明の資料提示装置では、制御手段によって１または複数の資料の画像データを分割してその一部または全部を選択的に表示手段に表示させるので、複数の画像を別個に表示したり、同時に表示したりすることができる。具体的には、複数の画像を有する１の資料（たとえば、右半分に英文、左半分にはその和文が印刷された資料）を表示する場合、制御手段によって、撮影された資料の画像を左右で分割することにより、資料の右半分に印刷された英文だけ（あるいは、左半分に印刷された和文だけ）を表示手段に表示させることができ、また、撮影された資料の画像を左右で分割せずに、その右半分の英文と左半分の和文とを同時に表示手段に表示させることができる。また、複数の資料（たとえば、４つの資料）を表示する場合、制御手段によって、これら資料の画像データのそれぞれを分割することにより、これら資料の画像のそれぞれを一枚ずつ表示させたり、制御手段によって４つの資料の画像のうちの幾つかを選択し、選択された資料の画像を表示手段に表示させたりすることができ、また、４つの資料の画像の全てを表示手段に表示させたりすることができる。
【００１２】
上記資料提示装置では、資料交換の回数を少なくすることができるので、プレゼンテーションの中断や、不必要な画像の表示が少なく、プレゼンテーションをスムーズに進行させることができる。また、事前に複数の資料を撮影し、パソコンを用いてこれら撮影した資料の画像を編集し記憶させる準備の必要がないので、所定のアプリケーションを使いこなすためのスキルを必要とせずにプレゼンテーションを行うことができる。さらに、ペンなどを用いて、資料載置面に載置された資料の上でポインティングを行うことができる。
【００１３】
たとえば、上記資料提示装置を教育の現場に適用すると、授業において設問の資料の画像とその解答の資料の画像を選択的に表示したり同時に表示したりすることを手間をかけずに容易に行うことができ、したがって教師は授業の効率化を図ることが可能となり、生徒は学習効率を向上させることができる。
【００１４】
本発明の資料提示装置は、資料載置面に、１または複数の資料の位置決めをするための枠部を備えることが望ましい。たとえば、資料を載置する領域の４隅に「』」の印を付すことができる。このような印は、資料が１つである場合、２つである場合（上下、左右に並べる場合）、４つまたはそれ以上である場合のそれぞれに設けることができる。なお、４隅に付す印は、「●」や「△」などの任意のものを用いることができる。あるいは、枠部は、資料載置面を左右あるいは上下の２つの領域に分割するような直線形状とすることができる。あるいは、資料載置面を左右および上下の４つの領域に分割するような十文字形状とすることができる。このような枠部によって、資料載置面に１または複数の資料を載置する場合、その位置決めを容易に行うことができる。
【００１５】
上記枠部は、資料載置面の分割境界を示す縦および／または横の線状に形成された光射出部であり、この光射出部の縦および／または横の配列を発光させることにより複数の資料の配置を指定することが望ましい。光射出部は、ＬＥＤや光ファイバ照明等の発光素子により構成することができる。ＬＥＤは、連続的または間欠的にライン状に並べることができる。この場合、連設したＬＥＤの発光側にライン状の拡散板を設けた市販のライン照明素子を用いることができる。また、光ファイバ照明としては、ライン状に光る光ファイバを用いることができる。この場合、資料載置面は、透明板または半透明板により構成し、そのような板の下側に枠部を配置してもよい。資料載置面を半透明板で構成することにより、枠部を発光させないときに枠部が見えないようにすることができる。あるいは、発光素子を資料載置面に押設することもできる。
【００１６】
また、枠部として資料載置面に黒色などの有色のラインを印刷することができる。枠部は、印刷などにより常時表示されているものと、点灯と消灯とを任意に行うことができる発光式のものとを組み合わせて用いることができる。発光式の枠部は、スイッチによって点灯と消灯を行うようにすることができる。この場合、スイッチを操作した後に、枠部が所定時間（例えば数秒間）点灯するように構成することもできる。さらに、枠部として、枠線が印刷された枠シートを資料載置手段に設けることができる。この場合、枠シートの裏面に脱着可能な粘着テープまたはファスナーなどの固定部を設け、この固定部により枠シートを資料載置手段に着脱自在に取り付けるようにしてもよい。また、このような固定部の代わりに、資料載置手段の内部に静電気発生装置などの吸着手段を設け、この吸着手段で枠シートを資料載置手段に取り付けるようにしてもよい。
【００１７】
上記枠部は、複数の資料の配置を指定する配置指定手段を備え、上記制御手段は、この配置指定手段でなされた指定に基づき画像データを分割することが望ましい。たとえば、枠部を上記ＬＥＤや光ファイバ照明により構成する場合、配置指定手段を点灯ボタン部により構成し、この点灯ボタン部により枠部の点灯を選択するように構成することができる。また、枠部を上記有色のラインや枠シートにより構成する場合、配置指定手段をテンキー等の入力手段により構成し、この入力手段により黒ラインのタイプや枠シートのタイプを入力することにより、制御手段は当該資料の分割形式（たとえば上下または左右）で画像データを分割する。また、上記のような配置指定手段を設けない場合には、資料を必ず左右（または上下）に配置するように定めておけば良い。この場合、制御手段は、画像データを常に左右（または上下）に分割し、それらの一方または双方を表示するように制御する。なお、上記のような配置指定手段は、資料が１つの場合にも有効であり、制御手段は配置指定手段でなされた指定に基づき画像データを複数の部分（たとえば上下または左右）に分割する。
【００１８】
上記制御手段は、分割された画像データの一部または全部を選択する表示選択手段を備え、該表示選択手段でなされた選択に基づき前記分割された画像データの一部または全部を表示させることが望ましい。この表示選択手段によって、資料の画像のなかから所望の画像を選択することにより、制御手段は、選択された画像を切り出して表示手段に表示させる。また、表示手段によってなされた選択によっては、制御手段は画像を切り出さずに画像の全てを表示手段に表示させることもできる。
【００１９】
たとえば、枠部を上記のように４分割する場合、表示選択手段を上記資料載置面の４つの領域のそれぞれに対応した表示ボタン、および全ての領域を表示させるための表示ボタンにより構成することができる。これら表示ボタンのうちの一つのボタンを押下することにより、制御手段は、押下された表示ボタンに対応した資料載置面における領域上の画像を切り出し、その切り出された領域の画像を表示手段に表示させるか、あるいは、資料載置面上の資料の画像を切り出さずに、その全ての画像を表示手段に表示させることができる。この場合において、切り出した画像を拡大・縮小する倍率変更手段を備えることができる。また、制御手段は、切り出した画像が表示手段のほぼ中央に位置するように画像処理を行うことができる。
【００２０】
上記したような枠部に代えて、撮像手段に自動追尾機能を備えることができる。たとえば、資料の４隅の座標を認識して中心の座標を算出し、中心の座標に撮像手段の光軸を向けてワイド画面で撮影する。この場合、資料が複数であれば、資料全体の４隅の座標を認識する。そして、上記した配置指定手段（入力手段）で画像データの分割形式を指定するとともに、上記した表示選択手段により、資料の画像の一部または全部を表示手段に表示させることができる。この場合、資料載置面の色を黒色とし、この資料載置面の色と、資料載置面に載置される資料の色とのコントラストから資料の４隅の座標を認識することができる。
【発明の効果】
【００２１】
本発明の資料提示装置によれば、制御手段によって１または複数の資料の画像データを分割してその一部または全部を選択的に表示手段に表示させるので、複数の画像を別個に表示したり、同時に表示したりすることができる。したがって、資料交換の回数を小さくすることができるので、不必要な画像が表示されることを防止することができ、聴衆者に不快感を与えることなく、プレゼンテーションをスムーズに進行させることができる等の効果が得られる。
【発明を実施するための最良の形態】
【００２２】
１．第１実施形態
（Ａ）実施形態の構成
以下、本発明の第１実施形態について図面を参照して説明する。図１は、本発明の一実施形態に係る資料提示装置４が適用されたプレゼンテーションシステムの全体を示す概略図である。図２は、資料提示装置４の概略構成を示す斜視図である。図１において、符号１はスクリーン、２はスクリーン１に画像を投影する液晶プロジェクタ（１，２は表示手段）、３は画像処理を行い、その処理された画像を液晶プロジェクタ２に出力する制御部（制御手段、信号出力部）、４は制御部３を内蔵している資料提示装置を示している。
【００２３】
資料提示装置４は、資料載置面４５を有する資料載置台（資料載置手段）４１を備えており、この資料載置台４１は装置の基台となっている。この資料載置台４１は、その一側部にスタンド４２が取り付けられ、このスタンド４２の上端部には、水平方向へ向けてＬ字状に延在するアーム４３が取り付けられている。このアーム４３の先端部は、その水平方向において資料載置面４５のほぼ中央に位置しており、そこには、レンズやＣＣＤカメラなどを備えた撮像部（撮像手段）４４が取り付けられている。
【００２４】
資料載置台４１の内部には、記憶部（図示略）および上記制御部３が設けられている。記憶部には、撮像部４４で撮影された画像の画像データが記憶される。制御部３は、記憶部から画像データを読み出し、その読み出された画像を分割して、その一部を切り出す画像処理を実行する。この切り出された画像データは、液晶プロジェクタ２に出力される。また、制御部３は、資料上の全部の画像を表示する場合、記憶部から読み出された画像を分割せずに、画像データをそのまま液晶プロジェクタ２に出力する。なお、制御部３は、図１にのみ示している。
【００２５】
上記資料載置面４５は、透明板（あるいは半透明板）からなり、例えばＡ３よりもやや大きいサイズとされている。この資料載置面４５の下面には十文字状の点灯ライン部（枠部、光射出部）４６が設けられている。この点灯ライン部４６は、縦の配列の点灯ライン４６Ａおよび横の配列の点灯ライン４６Ｂからなり、これら点灯ライン４６Ａ，４６Ｂは、ＬＥＤなどの発光素子から構成されている。このような点灯ライン部４６により、資料載置面４５がＡ５よりもやや大きいサイズの４つの領域４５Ａ〜４５Ｄに分割されている。そして、撮像部４４では、その視野を領域４５Ａ〜４５Ｄが占めるように光軸の向きおよび倍率が設定される。
【００２６】
このような点灯ライン部４６の一端部には、点灯ボタン部４７（配置指定手段）が設けられ、この点灯ボタン部４７を操作することにより、点灯ライン部４６が点灯し、資料載置面４５で原稿を配置する位置が表示される。また、この点灯ボタン部４７での操作によって、その信号が上記制御部３に出力されることにより、この制御部３は、資料載置面４５での原稿の配置形式を認識し、それに従って上記のように画像データを分割する。このような点灯ボタン部４７は、たとえば点灯ライン４６Ａ，４６Ｂの点灯をそれぞれ選択する点灯ボタン４７Ａ，４７Ｂから構成され、これら点灯ボタン４７Ａ，４７Ｂは点灯ライン４６Ａ，４６Ｂの一端部にそれぞれ配置されている。たとえば、図２に示すように、資料載置面４５に、資料としてＡ４サイズの原稿Ｓ１およびＳ２をそれぞれ領域４５Ａ，４５Ｃおよび領域４５Ｂ，４５Ｄ上に載置する場合には、点灯ボタン４７Ａを押下することにより点灯ライン４６Ａが点灯し、この点灯ライン４６Ａの発光が透明板を通過し、これにより原稿Ｓ１，Ｓ２を配置する位置が指定される。
【００２７】
図３（Ａ）は資料載置面４５を示す上面図であり、図３（Ｂ）は図３（Ａ）のＡ−Ａ線断面図である。なお、図３（Ａ）では、資料載置面４５に載置される原稿Ｓ１，Ｓ２の図示を省略している。資料載置面４５の外側（たとえば資料載置面４５の領域４５Ｃの外側）には、表示選択部（表示選択手段）４８が設けられ、この表示選択部４８は、図４に示すように、たとえば表示ボタン４８Ａ〜４８Ｅから構成されている。これら表示ボタン４８Ａ〜４８Ｅにより、資料載置面４５に載置された原稿Ｓ１，Ｓ２の画像のうち領域４５Ａ〜４５Ｄ上の画像の表示が選択され、その信号が上記制御部３に出力されると、そこで画像処理が実行され、その結果、表示ボタン４８Ａ〜４８Ｅに応じた画像がスクリーン１に表示される。
【００２８】
具体的には、点灯ボタン４７Ａを押下し、資料載置面４５の左半分，右半分に原稿Ｓ１，Ｓ２を載置すると、制御部３は、その点灯ボタン４７Ａによる入力信号に基づき、撮像部４４による撮影画像を原稿Ｓ１，Ｓ２のそれぞれの画像に分割する。そして、表示ボタン４８Ａまたは４８Ｃが押下されると、制御部３は、資料載置面４５の左半分に載置された原稿Ｓ１の画像を切り出して液晶プロジェクタ２からスクリーン１に投影し、表示ボタン４８Ｂまたは４８Ｄが押下されると、資料載置面４５の右半分に載置された原稿Ｓ２の画像をスクリーン１に投影する（図５（Ａ））。また、表示ボタン４８Ｅが押下されると、制御部３は、原稿Ｓ１，Ｓ２の画像のそれぞれを液晶プロジェクタ２からスクリーン１の右半分、左半分に同時に投影する（図５（Ｂ））。
【００２９】
一方、点灯ボタン４７Ｂを押下し、資料載置面４５の上半分，下半分に２つの原稿を載置すると、制御部３は、その点灯ボタン４７Ｂによる入力信号に基づき、撮像部４４による撮影画像をこれら原稿のそれぞれの画像に分割する。そして、表示ボタン４８Ａまたは４８Ｂが押下されると、制御部３は、資料載置面４５の上半分に載置された原稿の画像を切り出して液晶プロジェクタ２からスクリーン１に投影し、表示ボタン４８Ｃまたは４８Ｄが押下されると、制御部３は、資料載置面４５の下半分に載置された原稿の画像を切り出して液晶プロジェクタ２からスクリーン１に投影する（図５（Ａ））。また、表示ボタン４８Ｅが押下されると、制御部３は、２つの原稿の画像を液晶プロジェクタ２からスクリーン１の上半分、下半分に同時に投影する（図５（Ｃ））。
【００３０】
また、点灯ボタン４７Ａ，４７Ｂを押下し、資料載置面４５の領域４５Ａ〜４５Ｄに４つの原稿を載置すると、制御部３は、これら点灯ボタン４７Ａ，４７Ｂによる入力信号に基づき、撮像部４４による撮影画像をこれら原稿のそれぞれの画像に分割する。そして、表示ボタン４８Ｅが押下されると、制御部３は、全ての領域４５Ａ〜４５Ｄ上の画像を液晶プロジェクタ２からスクリーン１の左上、右上、左下、右下の領域に同時に投影する（図５（Ｄ））。表示ボタン４８Ａ〜４８Ｄのうちのいずれか（たとえば表示ボタン４８Ａ）が押下されると、制御部３は、資料載置面４５に載置される原稿の画像のうち領域４５Ａ上の画像を液晶プロジェクタ２からスクリーン１に投影する（図５（Ａ））。また、表示選択部４８の表示ボタン４８Ａ〜４８Ｄのうち複数の表示ボタンが押下されると、制御部３は、押下された表示ボタンに基づいて資料載置面４５の領域上の画像を液晶プロジェクタ２からスクリーン１に同時に投影する。たとえば、表示ボタン４８Ａ，４８Ｂが押下された場合は、制御部３は、それに対応する領域４５Ａ，４５Ｂ上の画像を切り出して液晶プロジェクタ２からスクリーン１の左半分、右半分に同時に投影する（図５（Ｂ））。表示ボタン４８Ａ，４８Ｄが押下された場合は、制御部３は、資料載置面４５の領域４５Ａ、４５Ｄ上の画像を切り出して液晶プロジェクタ２からスクリーン１の上半分、下半分に同時に投影する（図５（Ｃ））。
【００３１】
また、資料載置面４５の外側（たとえば資料載置面４５の領域４５Ｄの外側）には倍率変更部４９が設けられている。この倍率変更部４９は、選択された画像の縮小を行う縮小スイッチ４９Ａと、その画像の拡大を行う拡大スイッチ４９Ｂとから構成されている。このような倍率変更部４９により、表示選択部４８で選択された画像の拡大／縮小が行われる。
【００３２】
（Ｂ）実施形態の動作
次に、図６を参照し、上記構成を有する資料提示装置４の動作について説明する。まず、資料載置面４５に載置する資料（たとえば原稿Ｓ１，Ｓ２）に応じて、点灯ボタン部４７の点灯ボタン４７Ａを押下すると、点灯ライン４６Ａが一定時間点灯し、これにより原稿Ｓ１，Ｓ２の配置が指定されるとともに、この点灯ボタン４７Ａによる入力信号が制御部３に出力される（ステップＳ１１）。次に、点灯ライン４６Ａによる配置指定に従い、原稿Ｓ１，Ｓ２をそれぞれ領域４５Ａ，４５Ｃおよび領域４５Ｂ，４５Ｄ上に載置する（ステップＳ１２）。このように載置された原稿Ｓ１，Ｓ２を撮像部４４で撮影し（ステップＳ１３）、撮像部４４で撮影された画像のデータを記憶部に記憶する（ステップＳ１４）。
【００３３】
次に、たとえば表示選択部４８の表示ボタン４８Ａまたは４８Ｃを押下すると（ステップＳ１５）、その信号が制御部３に出力される。制御部３は、原稿Ｓ１，Ｓ２の画像データを記憶部から読み出し、上記点灯ボタン４７Ａによる入力信号に従い原稿Ｓ１，Ｓ２の画像を分割し、表示ボタン４８Ａまたは４８Ｃによる入力信号に従い原稿Ｓ１の画像を切り出す画像処理を行う（ステップＳ１６）。次いで、制御部３は、あらかじめ倍率変更部４９で指定していた倍率に従って、切り出された原稿Ｓ１の画像の拡大・縮小を行い（ステップＳ１７）、その拡大・縮小がなされた画像を液晶プロジェクタ２からスクリーン１に投影する（ステップＳ１８）。
【００３４】
このように本実施形態の資料提示装置４では、制御部３によって資料（たとえば原稿Ｓ１，Ｓ２）の画像データを分割してその一部または全部を選択的に表示手段に表示させるので、複数の画像を別個に表示したり、同時に表示したりすることができる。したがって、資料交換の回数を少なくすることができるので、プレゼンテーションの中断や、不必要な画像の表示が少なく、プレゼンテーションをスムーズに進行させることができる。また、事前に複数の資料を撮影し、パソコンを用いてこれら撮影した資料の画像を編集し記憶させる準備の必要がないので、所定のアプリケーションを使いこなすためのスキルを必要とせずにプレゼンテーションを行うことができる。さらに、ペンなどを用いて、資料載置面４５に載置された資料の上でポインティングを行うことができる。
【００３５】
たとえば、上記資料提示装置４を教育の現場に適用すると、授業において設問の原稿（たとえば、原稿Ｓ１）の画像とその解答の原稿（たとえば、原稿Ｓ２）の画像を選択的に表示したり同時に表示したりすることを手間をかけずに容易に行うことができ、したがって教師は授業の効率化を図ることが可能となり、生徒は学習効率を向上させることができる。特に、上記資料提示装置４では、点灯ライン部４６を設けているから、資料載置面４５に複数の資料を載置する場合、その位置決めを容易に行うことができる。
【００３６】
２．第２実施形態
上記実施形態では、枠部として点灯ライン部４６を資料載置面４５の下面に十文字状に設けているが、枠部として枠シートを資料載置台４１の上に設け、この枠シートが設けられた資料載置台４１の上面により資料載置面を構成するようにしてもよい。この枠シートは、その表面に資料が載置される場所を分割する枠線が印刷されたものである。以下、図７および図８を参照し、本発明の第２実施形態について説明する。なお、これらの図では、表示選択部４８および倍率変更部４９の図示は省略している。以下の実施形態では、第１実施形態と同様な構成要素には同符号を付してその説明は省略している。
【００３７】
図７に示すように、左右に原稿Ｓ１，Ｓ２が配置されるように枠線が印刷された枠シート５１が準備されている。この枠シート５１の枠線の右上隅部には、そのタイプを示すタイプ番号（たとえば、”１”）５２が印刷されている。この場合、図１に示すように、たとえば倍率変更部４９の右隣にテンキー５０が設けられている。このテンキー５０を用い、上記枠シート５１のタイプ番号である”１”を入力すると、制御部３は、その入力信号に基づき資料載置面での原稿Ｓ１，Ｓ２の配置形式を認識し、それに従って第１実施形態と同様に画像データを分割する。また、図８に示す枠シート５３のように、上下左右に４分割され、これら分割された領域に原稿Ｓ３〜Ｓ６がそれぞれ配置されるように枠線が印刷されたものを用いることができる。この枠シート５３には、タイプ番号（たとえば、”２”）５４が印刷されている。この場合も、テンキー５０を用い、この枠シート５３のタイプ番号である”２”を入力すると、制御部３は、その入力信号に基づき上記枠シート５１の場合と同様な処理を行う。このような枠シート５１，５３の設置では、その裏面に脱着可能な粘着テープまたはファスナーなどの固定部（図示略）を設け、この固定部により資料載置台４１に着脱自在に取り付けるようにしてもよい。また、このような固定部の代わりに、資料載置台４１の内部に静電気発生装置などの吸着手段を設け、この吸着手段で資料載置台４１に取り付けるようにしてもよい。
【００３８】
次に、図９を参照して、上記枠シート（たとえば枠シート５１）を用いる場合の動作について説明する。まず、資料載置台４１に載置する資料（たとえば原稿Ｓ１，Ｓ２）に応じて、枠シート５１を資料載置台４１の上に貼着し（ステップＳ２１）、テンキー５０を用いて、枠シート５１のタイプ番号である”１”を入力すると、これにより原稿Ｓ１，Ｓ２の配置が指定されるとともに、その入力信号が制御部３に出力される（ステップＳ２２）。次に、貼着した枠シート５１の配置指定に応じて、資料載置面に原稿Ｓ１，Ｓ２を載置する（ステップＳ２３）。このステップＳ２３以降（ステップＳ２４〜Ｓ２９）は、上記実施形態と同様な操作（ステップＳ１３〜Ｓ１８）を行う。以上のような操作により、上記実施形態と同様な作用・効果が得られる。
【００３９】
３．第３実施形態
上記実施形態では、点灯ライン部４６を設け、それに対応した点灯ボタン部４７で点灯ライン部４６の点灯を選択し、制御部３によって、その点灯ボタン部４７の入力信号に従い撮影画像を分割するようにしたが、図１０に示すように、撮像部４４に自動追尾機能を持たせ、この自動追尾機能を用いて、資料載置面４５上に載置された原稿の画像上に座標を設定し、この設定された座標を利用して制御部３によって、撮影画像のなかから所望の画像を分割するようにしてもよい。以下、本発明の第３実施形態について説明する。図１０（Ａ）〜（Ｃ）は、撮像部４４の視野５５を示している。第３実施形態では資料載置面４５の色を黒色とし、この資料載置面４５の色と、資料載置面４５上の資料（たとえば、原稿Ｓ７，Ｓ８）の色とのコントラストから原稿Ｓ７，Ｓ８を認識している。
【００４０】
たとえば、図１０（Ａ）に示すように、撮像部４４が原稿Ｓ７，Ｓ８を撮影する。制御部３は、この原稿Ｓ７，Ｓ８の撮影画像の画像データから、原稿Ｓ７，Ｓ８の全体の４隅点５５ａ〜５５ｄの座標を認識する。制御部３は、これら隅点５５ａ〜５５ｄの座標をもとに、その中心点Ｇを算出する。続いて、制御部３は、図１０（Ｂ）に示すように、撮像部４４に対してチルト，パンをそれぞれ自動的に行い、中心点Ｇを撮像部４４の視野５５の中心に位置させる。次に、図１０（Ｃ）に示すように、必要に応じて撮像部４４の倍率を上げてズームアップし、撮像部４４の視野５５内に原稿Ｓ７，Ｓ８を大きく写しこむ。最後に、このように制御部３で処理が行われた視野５５内で、資料載置面４５の原稿Ｓ７上に対応する画像を切り出す場合には、表示選択部４８の表示ボタン４８Ａまたは４８Ｃを押下する。以降、第１実施形態と同様な操作を行うことにより、第１実施形態と同様な作用・効果が得られる。
【００４１】
４．変形例
以上、第１〜第３実施形態を挙げて本発明を説明したが、本発明はこれら実施形態に限定されるものではなく、種々の変形が可能である。たとえば、枠部として、資料載置面の区分パターンを示す有色のライン（たとえば、黒ライン）をあらかじめ資料載置台４１上に印刷し、この有色のラインが印刷された資料載置台４１の上面により資料載置面を構成するようにしてもよい。この場合、上記枠シート５１，５３と同様に原稿の配置（例えば、上下または左右）を示す配置番号を資料載置台４１に記しておき、この配置番号をテンキー５０を用いて入力するようにしてもよい。さらに、上記実施形態では、縦に配列された点灯ライン４６Ａおよび横に配列された点灯ライン４６Ｂにより点灯ライン部４６を十文字状に設けるするようにしたが、点灯ライン部４６を点灯ライン４６Ａあるいは点灯ライン４６Ｂにより直線状に設けるようにしてもよい。加えて、資料載置面４５を区分するパターンは、上記実施形態のように４分割や２分割に限らず、必要に応じて適宜設定するようにしてもよい。
【図面の簡単な説明】
【００４２】
【図１】本発明の第１実施形態に係る資料提示装置が適用されたプレゼンテーションシステムの概略図である。
【図２】図１の資料提示装置の概略を示す斜視図である。
【図３】（Ａ）は図１の資料提示装置の資料載置面を示す図であり、（Ｂ）は図（Ａ）のＡ−Ａ線における断面図である。
【図４】図３の資料提示装置の表示選択部の拡大図である。
【図５】（Ａ）〜（Ｄ）は、資料提示装置によってスクリーンに表示される画像の表示パターンを示す図である。
【図６】図１の資料提示装置の動作を示すフローチャートである。
【図７】本発明の第２実施形態に係る資料提示装置を示す図であり、（Ａ）はその資料載置面を示す概略図であり、（Ｂ）はその概略側断面図である。
【図８】本発明の第２実施形態に係る資料提示装置の資料載置面を示す概略図である。
【図９】本発明の第２実施形態に係る資料提示装置の動作を示すフローチャートである。
【図１０】本発明の第３実施形態に係る資料提示装置の撮像部の視野を示す図であり、（Ａ）は、制御部による処理を施す前の視野、（Ｂ）は、制御部によりチルト，パンを行った視野、（Ｃ）はズームを行った視野をそれぞれ示す図である。
【符号の説明】
【００４３】
１…スクリーン（表示手段）、２…液晶プロジェクタ（表示手段）、３…制御部（制御手段、信号出力部）、４…資料提示装置、４１…資料載置台（資料載置手段）、４４…撮像部（撮像手段）、４５…資料載置面、４６…点灯ライン部（枠部、光射出部）、４６Ａ，４６Ｂ…点灯ライン、４７…点灯ボタン部（配置指定手段）、４７Ａ，４７Ｂ…点灯ボタン、４８…表示選択部（表示選択手段）、４８Ａ〜４８Ｅ…表示ボタン、４９…倍率変更部、４９Ａ…縮小スイッチ、４９Ｂ…拡大スイッチ、５１，５３…枠シート、５２，５４…タイプ番号、５５…視野、５５ａ〜５５ｄ…隅点、Ｓ１〜Ｓ８…原稿 
【図１】
2005064985.tif 000003
【図２】
2005064985.tif 000004
【図３】
2005064985.tif 000005
【図４】
2005064985.tif 000006
【図５】
2005064985.tif 000007
【図６】
2005064985.tif 000008
【図７】
2005064985.tif 000009
【図８】
2005064985.tif 000010
【図９】
2005064985.tif 000011
【図１０】
2005064985.tif 000012